(57)【特許請求の範囲】
【請求項１】
光導波路であって、当該光導波路は、当該光導波路の面において積層分布するように配設される複数のくぼみを規定し、前記複数のくぼみのそれぞれは、前記光源によって放射された光を前記光導波路内へ結合させるよう構成される第１ファセットと、光を前記光導波路の外へ結合させるよう構成される第２ファセットとを含む、光導波路と、
前記光導波路の前記面における前記第１ファセット及び前記第２ファセットの間の前記複数のくぼみへ少なくとも部分的に埋め込まれる複数の光学素子と、
前記光導波路の前記面における前記第１ファセット及び前記第２ファセットの間の前記複数のくぼみに配置される複数の光源と、
を有する照明器具であり、
−  前記光源は、各光源により発される光が前記光学素子を通過し、前記第１ファセットを通じて前記光導波路の内部へ結合されるように、向けられ、
−  少なくとも１つのくぼみの前記第１ファセットにより内部へ結合される前記光は、少なくとも１つの別のくぼみの前記第２ファセットによって外部へ結合され、
−  前記光源が、第１アレイ及び第２アレイに配設され、
−  前記光学素子が、第１セクション及び第２セクションに配設され、
−  前記第１アレイ及び前記第１セクションが、第１グループを形成し、
−  前記第２アレイ及び前記第２セクションが、第２グループを形成し、
−  各グループの前記光学素子が、異なるビーム成形特性を持つよう構成され、
−  前記第１アレイ及び前記第２アレイが、個々にアドレス指定可能であるよう構成され、
前記第１アレイの前記光源が、前記第２アレイの前記光源の間に分散させられている、
ことを特徴とする照明器具。
【請求項２】
前記第１アレイ及び前記第２アレイのうちの少なくとも１つのアレイが、第１原色の光を放射することが可能な第１サブアレイ及び第２原色の光を放射することが可能な第２サブアレイに配設される請求項１に記載の照明器具。
【請求項３】
前記第１サブアレイの前記光源が、前記第２サブアレイの前記光源の間に分散させられる請求項２に記載の照明器具。
【請求項４】
前記第１アレイが、第１原色の光を放射するよう構成され、前記第２アレイが、第２原色の光を放射するよう構成される請求項１に記載の照明器具。
【請求項５】
前記光学素子のビーム成形特性が、前記光源によって放射された光をコリメートするよう構成される請求項１に記載の照明器具。
【請求項６】
前記光源が、無機ＬＥＤ、有機ＬＥＤ及び半導体レーザから成るグループから選ばれる請求項１乃至５のいずれか一項に記載の照明器具。
【発明の詳細な説明】
【技術分野】
【０００１】
本発明は、互いに光学的に関係するよう配設される複数の光源及び複数の光学素子を有する照明器具であって、前記光源が、第１アレイ及び第２アレイに配設され、前記光学素子が、第１セクション及び第２セクションに配設され、前記第１アレイ及び前記第１セクションが、第１グループを形成し、前記第２アレイ及び前記第２セクションが、第２グループを形成する照明器具に関する。本発明は、照明器具によって放射される光のビーム形状を制御するための方法であって、複数の光源及び複数の光学素子を設けるステップと、前記光源及び前記光学素子を、互いに光学的に関係するよう配設するステップと、前記光源を、第１アレイ及び第２アレイに配設するステップと、前記光学素子を、第１セクション及び第２セクションに配設するステップと、前記第１アレイ及び前記第１セクションによって構成される第１グループを形成するステップと、前記第２アレイ及び前記第２セクションによって構成される第２グループを形成するステップとを有する方法にも関する。このような照明器具及びビーム成形方法は、ビーム形状の制御が必要とされる又は要求される照明用途において有用である。
【背景技術】
【０００２】
放射される光ビームの形状を調節することが可能な照明器具は、多くの用途に入り込んでいる。ビーム成形機能は、静的用途と動的用途との両方において非常に興味深い。調節可能なビーム形状は、静的用途においては、通常、例えば、「スポットライト」、「投光照明」又は「間接照明」といった多くのプリセットモードを介して実施される。動的ビーム制御を用いる用途においては、ビーム形状は、通常、連続する範囲にわたって調節され得る。
【０００３】
従来の照明器具においては、放射される光ビームは、光源及び光学系を用いることにより作成される。光学系は、通常、反射系であるが、屈折系、回折系又は拡散系であってもよい。古典的には、光源と光学系との相対的な位置を調節することで、ビーム形状を制御する。懐中電灯を例にとると、放物面反射器に対する電球の位置を変えることで（又は電球に対するレンズの位置を変えることで）、光ビームの形状−細く収束された形状対広域投光照明形状−を制御する。切換可能な屈折素子（例えば液晶レンズ及びエレクトロウェッティングレンズ）又は切換可能なディフューザの利用は、照明器具によって放射されるビーム形状を調節するための他の良く知られている技術を構成する。
【０００４】
照明器具によって放射される光のビーム形状を調節する従来技術の不利な点は、機械的動作又は電気的制御によって調節可能な光学系を用いることである。可動系は、摩損しやすく、電気的に制御可能な系は、通常、非常に複雑且つ高価である。更に、機械的に動かせる光学系及び電気的に制御可能な光学系の帯域幅は、通常、光学系が調節され得る周波数に限定される。一般に、帯域幅は、機械的に動かせる系の場合には１０乃至１００Ｈｚであり、回転系の場合には１０ｋＨｚまでであり、マイクロメカニカル系（ＭＥＭＳ）の場合には１００ｋＨｚ乃至１ＭＨｚであり、電気的に制御可能な系の場合には５０乃至１０００Ｈｚである。
【発明の概要】
【発明が解決しようとする課題】
【０００５】
本発明の目的は、光のビーム形状を極めて高い周波数まで調節することが可能な、上記の種類の照明器具を提供することである。
【課題を解決するための手段】
【０００６】
この目的は、請求項１において規定されているような本発明による照明器具によって達成される。第１の態様によれば、本発明は、各グループの光学素子が、異なるビーム成形特性を持つよう構成され、第１光源アレイ及び第２光源アレイが、個々にアドレス指定可能であるよう構成されることを特徴とする。有利なことには、本発明は、調節可能な光学系を用いる必要なしに前記ビーム形状を調節することが可能である照明器具を提供する。更に、放射される光のビーム形状が調節され得る速度は、前記光源の制御帯域幅に制限される。 
【０００７】
本発明の実施例においては、前記光源は、無機ＬＥＤ、有機ＬＥＤ及び半導体レーザから成るグループから選択される。これらの光源の制御帯域幅は、一般に、１ＭＨｚから１ＧＨｚに及ぶ。
【０００８】
実施例においては、前記第１アレイの前記光源は、前記第２アレイの前記光源の間に分散させられる。有利なことには、この実施例は、共通の対称心を持つ様々なビーム形状を実現する。更に、その結果として、前記第１グループ及び前記第２グループは、相互に分散させられ、例えば２つの異なるビーム形状の物理的な源を観察者に認識させない。 
【０００９】
別の実施例においては、第１原色の光を放射することが可能な第１サブアレイ及び第２原色の光を放射することが可能な第２サブアレイに少なくとも１つの「光源」アレイが配設される。実施例においては、前記第１サブアレイの前記光源は、前記第２サブアレイの前記光源の間に分散させられる。有利なことには、前記色及び前記ビーム形状は、互いと無関係に制御及び調節され得る。前記照明器具は、加法混色を利用するという事実を鑑みて、「原色」という用語は、照明器具の光源によって放射される光のあらゆる色（即ち、スペクトル）を含むと理解されなければならない。それ故に、「原色」は、放射される光の、狭い帯域幅のスペクトル、従って、非常に飽和した色と、広い帯域幅のスペクトル、従って、不飽和色との両方を含む。従って、加法的に混ぜ合わせる「原色」の範囲は、例えば、非常に飽和した赤色、緑色及び青色の光源にはっきりとは限定されない。逆に、前記範囲は、例えば、暖白色及び冷白色の光源の混合にまで及ぶ。
【００１０】
本発明による更に別の実施例においては、前記第１光源アレイは、第１原色の光を放射するよう構成され、前記第２光源アレイは、第２原色の光を放射するよう構成される。有利なことには、前記色と前記ビーム形状との両方が、同時に制御及び調節され得る。
【００１１】
実施例においては、前記照明器具は、光導波路であって、前記光源によって放射された光を前記光導波路内へ結合させるよう構成される第１ファセットと、光を前記光導波路の外へ結合させるよう構成される第２ファセットとを含む光導波路を有し、有利なことには、非常に薄い照明器具を可能にする。実施例においては、前記光学素子のビーム成形特性は、前記光源によって放射された光をコリメートするよう構成される。有利なことには、前記光導波路は、様々な光源から来る光を混ぜ合わせ、前記光の様々な物理的な源を観察者に認識させない。
【００１２】
実施例においては、くぼみが、入射光線を反射するよう適合させられる側部ファセットを有する。有利なことには、前記光源における吸収又は散乱によって光が失われず、優れた光効率を保証する。 
【００１３】
実施例においては、前記くぼみは、前記光導波路の面に、積層分布するよう配設される。有利なことには、前記積層くぼみ間の距離は、（例えば、多数の原色の光源を利用する場合、より均一な有色ビームをもたらす）光混合の度合いを制御する。
【００１４】
第２の態様によれば、本発明は、請求項１３のプリアンブルに記載の、照明器具によって放射される光のビーム形状を制御するための方法を提供する。前記方法は、各グループの前記光学素子を、異なるビーム成形特性を持つよう構成するステップと、前記第１光源アレイ及び前記第２光源アレイを、個々にアドレス指定可能であるよう構成するステップとを有することを特徴とする。有利なことには、本発明は、調節可能な光学系を用いる必要なしに照明器具のビーム形状を調節するための方法を提供する。更に、放射される光のビーム形状が調節され得る速度は、前記光源の制御帯域幅に制限される。
【００１５】
下記の実施例を参照して、本発明のこれら及び他の態様を説明し、明らかにする。
【００１６】
図面と関連する例示的な好ましい実施例の以下の記載において、本発明の更なる詳細、特徴及び利点を開示する。
【図面の簡単な説明】
【００１７】
【図１】ＬＥＤ及びレンズを含む本発明による照明器具の正面図を示す。
【図２】本発明による光導波路ベースの照明器具を示す。
【図３】前記光導波路ベースの照明器具の断面を示す。
【図４】前記光導波路ベースの照明器具の異なる構成を示す。
【図５Ａ】正方格子アレイに配設される複数の光源を持つ光導波路ベースの照明器具の別の実施例の上面図を示す。
【図５Ｂ】矩形インカップリング凹部のビーム成形特性を図示する、図５Ａの照明器具に対して平行な断面に沿った概略的な断面図を示す。
【図５Ｃ】光を光導波路に対して垂直な方向にコリメートするための例示的なビーム成形構造を図示する、図５Ａの照明器具に対して垂直な断面に沿った概略的な断面図を示す。
【図５Ｄ】光を光導波路に対して垂直な方向にコリメートするための例示的なビーム成形構造を図示する、図５Ａの照明器具に対して垂直な断面に沿った概略的な断面図を示す。
【発明を実施するための形態】
【００１８】
図１は、互いに光学的に関係するよう配設される複数の光源１０及び光学素子２０を有する本発明による照明器具１の正面図を示している。光源１０は、正方形、三角形及びひし形で示されており、光学素子２０は、実線、破線及び点線の円で示されている。光源１０は、少なくとも第１アレイ１１及び第２アレイ１２に配設される。更に、光学素子は、少なくとも第１セクション２１及び第２セクション２２に配設される。第１光源アレイ１１及び第１光学素子セクション２２は、第１グループ３１を形成する。同様に、第２アレイ１２及び第２セクション２２は、第２グループ３２を形成する。照明器具１によって放射される光のビーム形状を制御するために、第１グループ３１内の光学素子２０（即ち、第１セクション２１）は、第２グループ３２内の光学素子２０（即ち、第２セクション２２）と異なるビーム成形特性を持つよう構成される。更に、各グループの光源１０は、個々にアドレス指定可能であるよう構成される。即ち、第１「光源」アレイ１１は、第２「光源」アレイ１２とは無関係に制御され得る。
【００１９】
この方法の利点は、照明器具１によって放射される光のビーム形状が、この場合には、個々の「光源」アレイ１１、１２を制御することによって調節され得ることにある。光源１０は、一般に、大きな制御帯域幅（オン／オフ、減光）を持つ。このことは、ＬＥＤ（無機及び有機）及びレーザダイオードにも間違いなく当てはまり、これらの制御帯域幅は、一般に、１ＭＨｚから１ＧＨｚに及ぶ。 
【００２０】
本発明の実施例においては、全ての光源１０が、同じスペクトルを放射し、それは、単一の飽和原色（赤色、緑色、青色など）から完全白色のスペクトルにわたり得る。異なるグループ３１、３２内の光学素子２０の特性が、放射される光のビーム形状を決定する。例えば、「スポットモード」と「投光照明モード」との間で切り換えることが可能なＬＥＤベースの照明器具１を考える。非常に集中させられ、集束させられた光ビームが、「スポットモード」を特徴づけ、広範囲に広がるビーム形状が、「投光照明モード」を特徴づける。例えば、（「スポットモード」を可能にする）第１グループ３１においてはＬＥＤの前にコリメータを組み付け、（「投光照明モード」を可能にする）第２グループ３２においては発散レンズを組み付けることで、照明器具１の切り換え機能は実現される。
【００２１】
レンズ、コリメータ及びディフューザは、全て、光学素子２０として機能し得る。一例として、図１における実線の円は、正レンズであってもよく、破線の円は、負レンズであってもよく、点線の円は、コリメータであってもよい。光学素子２０の選択及び（例えば、ディフューザの散乱粒子の大きさ又は形状によって影響を及ぼされる、焦点距離、コリメーション角又は散乱角などの）ビーム成形特性は、光源１０の発光特性及び照明器具１の望ましいビームパターンに依存し得る。ＬＥＤは、一般に、大きな角分布（例えば、ランバート分布）を持つ光を放射し、レーザダイオードは、一般に、コリメート光ビームを放射する。従って、実際には、一方ではＬＥＤ及びコリメータ／レンズを有し、他方ではレーザダイオード及びレンズ／ディフューザを有するグループ３１、３２が、良好な結果をもたらす。
【００２２】
第２アレイ１２の光源１０の間に第１アレイ１１の光源１０を分散させることで、本発明による照明器具１の素人観察者は興味をそそられるであろう。従って、第１グループ３１及び第２グループ３２は、例えば「スポットモード及び投光照明モード」の物理的な源が観察者には分からないであろうように相互に分散させられるであろう。技術的な観点から、有利なことには、この実施例は、共通の対称心を持つ様々なビーム形状を実現する。アレイ、セクション及びグループの２つ以上を相互に分散させるタイリングは数多く存在する。特定のタイリングの選択は、設計面で考慮すべき要素を構成する。それ故、本発明の範囲は、対称、非対称又は準対称を問わずあらゆるあり得るタイリングをカバーする。
【００２３】
実施例においては、光源１０は、様々なスペクトルを持つ光を放射する。幾つかの構成は、区別され得る。本発明の実施例においては、全ての光源１０が、複数の原色を放射することが可能である。一例として、例えば、各チップが、（ｉ）原色を放射し、（ｉｉ）個々にアドレス指定可能である３つのチップを有するＬＥＤパッケージは、満足に機能する。別の実施例においては、光源１０は、単一の原色しか放射しない。このような単色光源１０を組み立てて照明器具１にするための幾つかの構成が存在する。 
【００２４】
或る実施例においては、第１「光源」アレイ１１は、第１原色の光を放射するよう構成され、第２「光源」アレイ１２は、第２原色の光を放射する構成される。各アレイと、異なるビーム成形特性を持つ光学素子１０を、第１グループ３１と第２グループ３２とを形成するよう組み合わせることには、色とビーム形状との両方を同時に調節するという利点がある。従って、照明器具１は、例えば、白色「スポットモード」から青色「投光照明モード」に切り換わり得る。他の例においては、同時に両方のモードを利用することで、例えば小売りの環境において望ましい照明効果を生じさせ得る。白色「スポットモード」は、顧客が売物を詳しく調べるのを可能にし、有色「投光照明モード」は、雰囲気を高める周囲照明及び／又は（高級なブティックから機能的な日曜大工用のものに及ぶ）小売りの環境の設定をもたらす。 
【００２５】
本発明の実施例においては、照明器具１は、図２（上面図）及び図３（断面図）に示されているような光導波路５０を有する。光導波路５０は、光源１０によって放射された光を光導波路内へ結合させるよう構成される少なくとも１つの第１ファセット５１と、光を光導波路の外へ結合させるよう構成される少なくとも１つの第２ファセット５２とを有する。光導波路５０は、光線１５を案内し、様々な原色の光線又は個々の光源１０から来る光線の混合を可能にする透明材料、一般にガラス又はプラスチックを有する。有利なことには、光源１０として側面発光ＬＥＤを利用し、光学素子２０としてコリメータを利用することで、（一般に、ＬＥＤパッケージの高さの１乃至３倍の厚さを持つ、即ち、２×４５度以上のビーム幅の程度のコリメーションを備える照明器具の場合は１乃至５ｍｍの厚さを持つ）非常に薄い照明器具１が可能になる。ＬＥＤを、２つの平行な電気接続層を備えるＰＣＢ（図示せず）に取り付けることで、それらの個々の制御又はグループ毎の制御が可能になる。実施例においては、光導波路５０のくぼみが、光源１０及び光学素子２０の位置決めを可能にさせる。有利には、光学素子２０は、照明器具１によって放射される光のビーム形状を制御するコリメータを構成する。コリメーションは、照明器具１のアンチグレア要件に対応する。なぜなら、これらの要件は、光導波路５０からアウトカップルされる光はあまり大きな発射角を有してはならないことを定めているからである。くぼみは、ＬＥＤによって放射された光を光導波路５０内へ結合させることを可能にする第１ファセット５１を持つ。更に、くぼみは、光を光導波路の外へ結合させるための第２ファセット５２を持つ。更に、くぼみは、例えばＴＩＲ又はコーティングによって、入射光線１５を反射するよう適合させられる側部ファセット５３を持つ。 
【００２６】
図２は、光源１０及び光学素子２０の非常に簡単なタイリングを示す。理解しやすいように、図は、グループ３１、３２を、限られた数の光源１０及び光学素子２０に関してしか示していない。実際のところ、このタイリングにおいては、第１グループ３１は、列２０１、２０３、２０５及び２０７を有し、第２グループ３２は、列２０２、２０４、２０６を有する。しかしながら、アレイ、セクション及びグループの２つ以上を相互に分散させるタイリングは数多く存在する。特定のタイリングの選択は、設計面で考慮すべき要素でしかない。従って、本発明の範囲は、対称、非対称又は準対称を問わずあらゆるあり得るタイリングをカバーする。
【００２７】
有利なことには、第１ＬＥＤによって放射され、付随するくぼみの第１ファセット５１を介して光導波路５０に入る光は、第２ＬＥＤを収容するくぼみを貫かないであろう。くぼみを、光導波路の面に、第１「インカップリング」ファセット５１が全て或る方向に向けられ、第２「アウトカップリング」ファセット５２が全て反対方向に向けられるように積層分布するよう配設することは、全ての光線１５が、側部ファセット５３によって（ＴＩＲを介して）反射されるか又は第２ファセット５２によって反射されることをもたらす。有利なことには、光源１０における吸収又は散乱によって光が失われず、優れた光効率を保証する。有利なことには、積層くぼみ間の距離は、（多数の原色の光源１０を利用する場合、より均一なビームをもたらす）光混合の度合いを制御する。 
【００２８】
別の実施例においては、第１原色の光を放射することが可能な第１サブアレイ１０１及び第２原色の光を放射することが可能な第２サブアレイ１０２に少なくとも１つの「光源」アレイ１１、１２が配設される（図１及び４）。その結果として、単一のグループ３１、３２内の個々のサブアレイ１０１、１０２のアドレス指定を行うことで、照明器具１によって放射される光ビームの色をその形状を変えずに調節することが可能になる。有利なことには、第２サブアレイ１０２の光源１０の間に第１サブアレイ１０１の光源１０を分散させることで、光ビームにおける均一な色混合が可能になる。図４は、光導波路ベースの照明器具１のためのこの構成を示しているが、本発明の範囲は、この構成を備える光導波路ベースではない照明器具もカバーする。
【００２９】
図５Ａは、光導波路５０と、光導波路５０の面において正方形の断面を持つ対応するくぼみ／凹部に配置される、ここでは無指向性の光を放射するＬＥＤの形態の複数の光源１０とを有する照明器具１の別の実施例を示している。矩形／正方形のくぼみの面は、第１「インカップリング」ファセット５１ａ乃至５１ｄを形成する（図５Ｂ参照）。各くぼみに隣接して、関連する第２「アウトカップリング」ファセット５２ａ乃至５２ｄが設けられる。これらのアウトカップリング部の各々は、中央に位置するくぼみに対して４５°、１３５°、２２５°及び３１５°の方向に延在する溝状の第２「アウトカップリング」ファセット５２を持つ４つの領域ａ乃至ｄを有する。光導波路５０の面における矩形／正方形の断面のくぼみは、無指向性ＬＥＤなどのコリメートされない光源１０によって放射された光を、光導波路５０の面においてコリメートし、従って、それを、図５Ａに概略的に示されているように２つの直交軸に沿った４つの別々の光線１５ａ乃至１５ｄに分ける（１つの光線１５しか示されていない）。以下、図５Ｂに関連してくぼみのこのコリメート特性をより詳細に説明する。
【００３０】
図５Ａに示すように、くぼみは、光線１５の方向が、くぼみにすぐに隣接する４つの領域の第２「アウトカップリング」ファセット５２の方向と基本的に一致するような向きにされる。従って、第１「インカップリング」ファセット５１を介して光導波路５０内へインカップルされた光線１５は、光をアウトカップルしない平行な溝、又は光をアウトカップルする垂直な向きの溝のいずれかに遭遇するであろう（図には１つの光線１５しか示されていない）。特定の光源１０によって放射された光のアウトカップリングは、必ずしも、図５Ａに図示されているように、光導波路の、別の光源と関連するアウトカップリング部で行われる必要はない。
その代わりに、光源１０からの光は、光源によって放射された光線１５が光導波路の面において方向を変えるような反射の後にその光源と関連するアウトカップリング部でアウトカップルされ得る。 
【００３１】
ここで、図５Ｂに目を向けて、図５Ａにおける矩形のくぼみ／凹部の、光導波路５０の面において許容可能な程度のコリメーションを達成するための寸法設計について述べる。点光源の場合は、第１「インカップリング」ファセット５１ａ乃至５１ｄに入る４つの光線１５ａ乃至１５ｄの各々が、（空気中で）２×４５度の範囲内にコリメートされる。しかしながら、有限光源の場合は、くぼみの（正方形の断面と仮定する）インカップリングファセット５１ａ乃至５１ｄの長さＤは、図５Ｂに概略的に図示されているように、（＞６０度の角度で照明器具１を出る光によるグレアを最小限にするのに重要な）６０度のカットオフ角度Θcut-offをもたらすために、光源１０の直径ｄの約２．５倍であるべきである。光導波路５０の面において、２×４５度より狭いコリメーションを達成するためには、従来のコリメータファンネルなどの付加的な光学素子２０が必要とされる。
【００３２】
光導波路５０に対して垂直な方向におけるコリメーションを達成するための２つの例示的な光学素子２０を、図５Ｃ及び５Ｄを参照して簡単に説明する。図５Ｃには、光導波路５０のインカップリングくぼみに挿入される、コリメートするＴＩＲ（全内部反射）光学素子２０を含む側面発光ＬＥＤパッケージ１０が示されている。ＬＥＤによって放射された光は、ＴＩＲ光学素子２０のインカップリング面においてＴＩＲ光学素子２０内へ結合され、次いで、ＴＩＲ素子の幾何学的形状によって、光導波路５０に対して垂直な方向にコリメートされ、第１「インカップリング」ファセット５１を介して光導波路５０に入る（ここでは一方向にしか示されていない）光線１５として放射されるよう内部反射される。図５Ｄは、光源（ＬＥＤ）１０によって放射された光を、図５Ｄに描かれている光線１５によって示されているように、第１「インカップリング」ファセット５１を介して光導波路５０に入るよう向け直す反射ファンネルの形態の別の例示的なコリメータ２０を概略的に図示している。
【００３３】
本発明を、上記の実施例に関して説明したが、同じ目的を達成するのに別の実施例が用いられ得ることは明らかであろう。それ故、本発明の範囲は、上記の照明器具には限定されず、例えば、自動車のヘッドライト及び劇場のスポットライトなどの放射される光のビーム形状を制御することが望ましい他のあらゆる発光装置にも適用され得る。更に、考えられる多くの変形例が、本発明の範囲に含まれる。例えば、上記の光導波路５０内のコリメーション手段は、様々に組み合わされ得る。更に、必ずしも、全てのくぼみが、光源１０及び光学素子２０の組み合わせを収容する必要はない。例えば、幾つかのくぼみは、光をアウトカップルするためだけに用いられてもよい。更に、くぼみは、必ずしも、個々に分離された構造のように配設される必要はない。例えば、本発明の範囲は、平行溝のリニアアレイのようにくぼみを配設し、斯くして、プリズム面を持つジグザグ面であって、「ジグ」が第１「インカップリング」ファセット５１を供給し、「ザグ」が第２「アウトカップリング」ファセット５２を供給するジグザグ面を作成するものもカバーする。他の例においては、光源１０及び光学素子２０は、全て、光導波路５０の１つの側端に配置されてもよい。 
【図１】
0005580193.tif 000002
【図２】
0005580193.tif 000003
【図３】
0005580193.tif 000004
【図４】
0005580193.tif 000005
【図５Ａ】
0005580193.tif 000006
【図５Ｂ】
0005580193.tif 000007
【図５Ｃ】
0005580193.tif 000008
【図５Ｄ】
0005580193.tif 000009